(57)【要約】      （修正有）【課題】ノイズフィルタの外形の小型化を図る。【解決手段】ノイズフィルタ１は、第１電線ＷＥ１の芯線の中間接続部ＷＥａ１に対向配置される第１接続部１１ａ及び第２電線ＷＥ２の芯線の中間接続部ＷＥａ２に対向配置される第２接続部１１ｂと、ノイズ成分を低減させるノイズ低減素子１１と、ノイズ低減素子、第１電線及び第２電線が収容される収容室を有する筐体２０と、ノイズ低減素子を介在させた第１電線の芯線の中間接続部と第２電線の芯線の中間接続部とを収容室で間接的又は直接的に挟持して、第１電線の芯線の中間接続部をノイズ低減素子の第１接続部に対して間接的又は直接的に電気接続させ、第２電線の芯線の中間接続部をノイズ低減素子の第２接続部に対して間接的又は直接的に電気接続させる挟持構造３０と、を備える。【選択図】図４
2020150350.tif 000002
【特許請求の範囲】
【請求項１】
第１電線の芯線の中間接続部に対向配置される第１接続部、及び、第２電線の芯線の中間接続部に対向配置される第２接続部を有し、かつ、ノイズ成分を低減させるノイズ低減素子と、
前記ノイズ低減素子、前記第１電線及び前記第２電線が収容される収容室を有する筐体と、
前記ノイズ低減素子を介在させた前記第１電線の前記芯線の前記中間接続部と前記第２電線の前記芯線の前記中間接続部とを前記収容室で間接的又は直接的に挟持して、前記第１電線の前記芯線の前記中間接続部を前記ノイズ低減素子の前記第１接続部に対して間接的又は直接的に電気接続させ、かつ、前記第２電線の前記芯線の前記中間接続部を前記ノイズ低減素子の前記第２接続部に対して間接的又は直接的に電気接続させる挟持構造と、
を備えることを特徴としたノイズフィルタ。
【請求項２】
前記挟持構造は、前記第１電線の前記芯線の前記中間接続部を前記ノイズ低減素子の前記第１接続部に向けて間接的又は直接的に押動し、前記第１電線の前記芯線の前記中間接続部を前記ノイズ低減素子の前記第１接続部に対して間接的又は直接的に電気接続させる第１押動体と、前記第２電線の前記芯線の前記中間接続部を前記ノイズ低減素子の前記第２接続部に向けて間接的又は直接的に押動し、前記第２電線の前記芯線の前記中間接続部を前記ノイズ低減素子の前記第２接続部に対して間接的又は直接的に電気接続させる第２押動体と、を備え、
前記第１押動体と前記第２押動体は、前記収容室で互いに間隔を空けて対向配置させ、前記ノイズ低減素子を介在させた前記第１電線の前記芯線の前記中間接続部と前記第２電線の前記芯線の前記中間接続部とを間接的又は直接的に挟持させるものとして形成することを特徴とした請求項１に記載のノイズフィルタ。
【請求項３】
前記第１押動体は、弾性変形に伴う反力で前記第１電線の前記芯線の前記中間接続部を前記ノイズ低減素子の前記第１接続部に向けて間接的又は直接的に押動させるものとして形成し、
前記第２押動体は、弾性変形に伴う反力で前記第２電線の前記芯線の前記中間接続部を前記ノイズ低減素子の前記第２接続部に向けて間接的又は直接的に押動させるものとして形成することを特徴とした請求項２に記載のノイズフィルタ。
【請求項４】
前記筐体は、前記収容室を有する第１筐体部材と、前記第１筐体部材の前記収容室における開口を塞ぐ第２筐体部材と、を備え、
前記第１押動体と前記第２押動体は、前記第１筐体部材若しくは前記第２筐体部材に設け、又は、その内の一方を前記第１筐体部材に設けると共にその内の他方を前記第２筐体部材に設け、前記ノイズ低減素子を介在させた前記第１電線の前記芯線の前記中間接続部と前記第２電線の前記芯線の前記中間接続部とを前記第１筐体部材と前記第２筐体部材との組付け完了位置で間接的又は直接的に挟持させるものとして形成することを特徴とした請求項２又は３に記載のノイズフィルタ。
【請求項５】
前記第１押動体と前記第２押動体は、前記第２筐体部材に設けることを特徴とした請求項４に記載のノイズフィルタ。
【請求項６】
前記挟持構造は、前記第１電線の前記芯線の前記中間接続部に対して物理的且つ電気的に接続され、かつ、自らの弾性変形に伴う反力で前記ノイズ低減素子の前記第１接続部に接触させる第１電線接続部材と、前記第２電線の前記芯線の前記中間接続部に対して物理的且つ電気的に接続され、かつ、自らの弾性変形に伴う反力で前記ノイズ低減素子の前記第２接続部に接触させる第２電線接続部材と、前記第１電線接続部材の前記反力が作用する方向とは逆側で前記第１電線接続部材を係止して、前記第１電線接続部材から作用する力を受ける前記筐体の第１係止部と、前記第２電線接続部材の前記反力が作用する方向とは逆側で前記第２電線接続部材を係止して、前記第２電線接続部材から作用する力を受ける前記筐体の第２係止部と、を備えることを特徴とした請求項１に記載のノイズフィルタ。
【請求項７】
第１電線及び第２電線を含む幹線と、
ノイズ成分を低減させるノイズフィルタと、
を備え、
前記ノイズフィルタは、
前記第１電線の芯線の中間接続部に対向配置される第１接続部、及び、前記第２電線の芯線の中間接続部に対向配置される第２接続部を有し、かつ、ノイズ成分を低減させるノイズ低減素子と、
前記ノイズ低減素子、前記第１電線及び前記第２電線が収容される収容室を有する筐体と、
前記ノイズ低減素子を介在させた前記第１電線の前記芯線の前記中間接続部と前記第２電線の前記芯線の前記中間接続部とを前記収容室で間接的又は直接的に挟持して、前記第１電線の前記芯線の前記中間接続部を前記ノイズ低減素子の前記第１接続部に対して間接的又は直接的に電気接続させ、かつ、前記第２電線の前記芯線の前記中間接続部を前記ノイズ低減素子の前記第２接続部に対して間接的又は直接的に電気接続させる挟持構造と、
を備えることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、ノイズフィルタは、ノイズ低減素子等の様々な構成部品を備えており、これらの組付けを行うと共に、ノイズ低減素子に対してノイズ低減対象電線を電気的に接続させるための組付けを行うことによって、ノイズ低減対象電線に対してのノイズ低減機能を発揮させる。このため、このノイズフィルタにおいては、そのノイズ低減機能を発揮させるための様々な構成部品の数を少量に抑えることができれば、体格の小型化を図ることができる。
【０００５】
そこで、本発明は、体格の小型化が可能なノイズフィルタ及びワイヤハーネスを提供することを、その目的とする。
【課題を解決するための手段】
【０００６】
上記目的を達成する為、本発明に係るノイズフィルタは、第１電線の芯線の中間接続部に対向配置される第１接続部、及び、第２電線の芯線の中間接続部に対向配置される第２接続部を有し、かつ、ノイズ成分を低減させるノイズ低減素子と、前記ノイズ低減素子、前記第１電線及び前記第２電線が収容される収容室を有する筐体と、前記ノイズ低減素子を介在させた前記第１電線の前記芯線の前記中間接続部と前記第２電線の前記芯線の前記中間接続部とを前記収容室で間接的又は直接的に挟持して、前記第１電線の前記芯線の前記中間接続部を前記ノイズ低減素子の前記第１接続部に対して間接的又は直接的に電気接続させ、かつ、前記第２電線の前記芯線の前記中間接続部を前記ノイズ低減素子の前記第２接続部に対して間接的又は直接的に電気接続させる挟持構造と、を備えることを特徴としている。
【０００７】
ここで、前記挟持構造は、前記第１電線の前記芯線の前記中間接続部を前記ノイズ低減素子の前記第１接続部に向けて間接的又は直接的に押動し、前記第１電線の前記芯線の前記中間接続部を前記ノイズ低減素子の前記第１接続部に対して間接的又は直接的に電気接続させる第１押動体と、前記第２電線の前記芯線の前記中間接続部を前記ノイズ低減素子の前記第２接続部に向けて間接的又は直接的に押動し、前記第２電線の前記芯線の前記中間接続部を前記ノイズ低減素子の前記第２接続部に対して間接的又は直接的に電気接続させる第２押動体と、を備え、前記第１押動体と前記第２押動体は、前記収容室で互いに間隔を空けて対向配置させ、前記ノイズ低減素子を介在させた前記第１電線の前記芯線の前記中間接続部と前記第２電線の前記芯線の前記中間接続部とを間接的又は直接的に挟持させるものとして形成することが望ましい。
【０００８】
また、前記第１押動体は、弾性変形に伴う反力で前記第１電線の前記芯線の前記中間接続部を前記ノイズ低減素子の前記第１接続部に向けて間接的又は直接的に押動させるものとして形成し、前記第２押動体は、弾性変形に伴う反力で前記第２電線の前記芯線の前記中間接続部を前記ノイズ低減素子の前記第２接続部に向けて間接的又は直接的に押動させるものとして形成することが望ましい。
【０００９】
また、前記筐体は、前記収容室を有する第１筐体部材と、前記第１筐体部材の前記収容室における開口を塞ぐ第２筐体部材と、を備え、前記第１押動体と前記第２押動体は、前記第１筐体部材若しくは前記第２筐体部材に設け、又は、その内の一方を前記第１筐体部材に設けると共にその内の他方を前記第２筐体部材に設け、前記ノイズ低減素子を介在させた前記第１電線の前記芯線の前記中間接続部と前記第２電線の前記芯線の前記中間接続部とを前記第１筐体部材と前記第２筐体部材との組付け完了位置で間接的又は直接的に挟持させるものとして形成することが望ましい。
【００１０】
また、前記第１押動体と前記第２押動体は、前記第２筐体部材に設けることが望ましい。
【００１１】
また、前記挟持構造は、前記第１電線の前記芯線の前記中間接続部に対して物理的且つ電気的に接続され、かつ、自らの弾性変形に伴う反力で前記ノイズ低減素子の前記第１接続部に接触させる第１電線接続部材と、前記第２電線の前記芯線の前記中間接続部に対して物理的且つ電気的に接続され、かつ、自らの弾性変形に伴う反力で前記ノイズ低減素子の前記第２接続部に接触させる第２電線接続部材と、前記第１電線接続部材の前記反力が作用する方向とは逆側で前記第１電線接続部材を係止して、前記第１電線接続部材から作用する力を受ける前記筐体の第１係止部と、前記第２電線接続部材の前記反力が作用する方向とは逆側で前記第２電線接続部材を係止して、前記第２電線接続部材から作用する力を受ける前記筐体の第２係止部と、を備えることが望ましい。
【００１２】
また、上記目的を達成する為、本発明に係るワイヤハーネスは、第１電線及び第２電線を含む幹線と、ノイズ成分を低減させるノイズフィルタと、を備え、前記ノイズフィルタは、前記第１電線の芯線の中間接続部に対向配置される第１接続部、及び、前記第２電線の芯線の中間接続部に対向配置される第２接続部を有し、かつ、ノイズ成分を低減させるノイズ低減素子と、前記ノイズ低減素子、前記第１電線及び前記第２電線が収容される収容室を有する筐体と、前記ノイズ低減素子を介在させた前記第１電線の前記芯線の前記中間接続部と前記第２電線の前記芯線の前記中間接続部とを前記収容室で間接的又は直接的に挟持して、前記第１電線の前記芯線の前記中間接続部を前記ノイズ低減素子の前記第１接続部に対して間接的又は直接的に電気接続させ、かつ、前記第２電線の前記芯線の前記中間接続部を前記ノイズ低減素子の前記第２接続部に対して間接的又は直接的に電気接続させる挟持構造と、を備えることを特徴としている。
【発明の効果】
【００１３】
本発明に係るノイズフィルタは、ノイズ低減素子を介在させた第１電線の芯線の中間接続部と第２電線の芯線の中間接続部とを間接的又は直接的に挟持させるだけの簡便な構造（挟持構造）で、第１電線の芯線の中間接続部をノイズ低減素子の第１接続部に対して間接的又は直接的に電気接続させ、かつ、第２電線の芯線の中間接続部をノイズ低減素子の第２接続部に対して間接的又は直接的に電気接続させることができる。従って、このノイズフィルタは、体格の小型化を図ることができる。また、本発明に係るワイヤハーネスは、そのようなノイズフィルタを具備するものであり、このノイズフィルタが得られる効果を奏することができる。
【図面の簡単な説明】
【００１４】
【図１】図１は、実施形態のノイズフィルタ及びワイヤハーネスを示す分解斜視図である。
【図２】図２は、実施形態のノイズフィルタ及びワイヤハーネスを示す斜視図である。
【図３】図３は、図２のＸ−Ｘ線断面図である。
【図４】図４は、図２のＹ１−Ｙ１線断面図である。
【図５】図５は、第２筐体部材を別角度から見た斜視図である。
【図６】図６は、電線接続部材を示す斜視図である。
【図７】図７は、変形例１のノイズフィルタ及びワイヤハーネスを示す分解斜視図である。
【図８】図８は、変形例１のノイズフィルタ及びワイヤハーネスを示す斜視図である。
【図９】図９は、図８のＸ−Ｘ線断面図である。
【図１０】図１０は、図８のＹ２−Ｙ２線断面図である。
【図１１】図１１は、第２筐体部材を別角度から見た斜視図である。
【図１２】図１２は、変形例２のノイズフィルタ及びワイヤハーネスを示す分解斜視図である。
【図１３】図１３は、変形例２のノイズフィルタ及びワイヤハーネスを示す斜視図である。
【図１４】図１４は、図１３のＸ−Ｘ線断面図である。
【図１５】図１５は、図１３のＹ３−Ｙ３線断面図である。
【図１６】図１６は、第２筐体部材を別角度から見た斜視図である。
【発明を実施するための形態】
【００１５】
以下に、本発明に係るノイズフィルタ及びワイヤハーネスの実施形態を図面に基づいて詳細に説明する。尚、この実施形態によりこの発明が限定されるものではない。
【００１６】
［実施形態］
本発明に係るノイズフィルタ及びワイヤハーネスの実施形態の１つを図１から図６に基づいて説明する。
【００１７】
図１から図４の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路のノイズ低減素子で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部ＷＥ１１（図１）が電源（例えば、車両の二次電池）に対して電気的に接続され、他方の端部ＷＥ１２（図１）が負荷に対して電気的に接続されている。また、第２電線ＷＥ２は、一方の端部ＷＥ２１（図１）が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１８】
ノイズフィルタ１は、第１電線ＷＥ１の中間部分に位置している芯線ＷＥａの一部分と第２電線ＷＥ２の中間部分に位置している芯線ＷＥａの一部分との間に介在させ、それぞれの芯線ＷＥａに対して電気的に接続させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。このノイズフィルタ１は、例えば、第１電線ＷＥ１に乗った電気的なノイズ成分を低減させる。
【００１９】
ノイズフィルタ１は、ノイズ成分を低減させる少なくとも１つのノイズ低減素子１１を備える（図１、図３及び図４）。このノイズ低減素子１１は、ノイズフィルタ１の回路構成でノイズの低減を図り得るものであれば、如何様なものを用いてもよい。例えば、ノイズ低減素子１１としては、コンデンサやコイル等が考えられる。
【００２０】
このノイズ低減素子１１は、第１電線ＷＥ１の中間接続部ＷＥａ１と第２電線ＷＥ２の中間接続部ＷＥａ２との間に配置して、それぞれの中間接続部ＷＥａ１，ＷＥａ２に対して電気的に接続させる。このノイズ低減素子１１は、第１電線ＷＥ１の中間接続部ＷＥａ１に対向配置される第１接続部１１ａと、第２電線ＷＥ２の中間接続部ＷＥａ２に対向配置される第２接続部１１ｂと、を有する（図１、図３及び図４）。このノイズ低減素子１１においては、第１接続部１１ａが一方の端部に露出状態で設けられ、第２接続部１１ｂが他方の端部に露出状態で設けられる。例えば、このノイズ低減素子１１は、外形が方体状に形成されており、対向配置状態の２つの壁面の内の一方に第１接続部１１ａが設けられ、かつ、その内の他方に第２接続部１１ｂが設けられている。この例示のノイズフィルタ１では、そのノイズ低減素子１１として２つのコンデンサを備えており、この２つのコンデンサでノイズの低減を図ることができるように構成している（図１及び図４）。
【００２１】
このノイズフィルタ１は、ノイズ低減素子１１、第１電線ＷＥ１及び第２電線ＷＥ２が収容される筐体２０を備える（図１から図４）。その筐体２０は、合成樹脂等の絶縁性材料で成形する。この筐体２０は、ノイズ低減素子１１と第１電線ＷＥ１と第２電線ＷＥ２とが収容される収容室２０ａと、その収容室２０ａにノイズ低減素子１１等を収容する際の挿入口２０ｂと、を有する（図１）。この筐体２０は、互いに組み付けられる第１筐体部材２１と第２筐体部材２２とを備える（図１から図４）。この例示では、その第１筐体部材２１と第２筐体部材２２とを組み付けることによって、筐体２０が形成される。この筐体２０においては、第１電線ＷＥ１におけるそれぞれの端部ＷＥ１１，ＷＥ１２側が内方の収容室２０ａから外方へと引き出され、かつ、第２電線ＷＥ２におけるそれぞれの端部ＷＥ２１，ＷＥ２２（図１）側が内方の収容室２０ａから外方へと引き出される。
【００２２】
第１筐体部材２１は、収容室２０ａと挿入口２０ｂとを有する収容箱である（図１）。この第１筐体部材２１は、主壁体２１ａと、この主壁体２１ａの周縁部から立設させた複数の周壁体２１ｂ−２１ｅと、を有する（図１及び図３）。この例示の第１筐体部材２１は、矩形の平板状の主壁体２１ａと、この主壁体２１ａの４つの辺部から各々同じ向きに垂設させた矩形の平板状の第１から第４の周壁体２１ｂ−２１ｅと、を有している。この第１筐体部材２１では、第１周壁体２１ｂと第２周壁体２１ｃとが互いに間隔を空けて対向配置され、第３周壁体２１ｄと第４周壁体２１ｅとが互いに間隔を空けて対向配置されている。この第１筐体部材２１においては、主壁体２１ａと第１から第４の周壁体２１ｂ−２１ｅとで囲まれた方体状の空間が収容室２０ａとなる。また、この第１筐体部材２１においては、第１から第４の周壁体２１ｂ−２１ｅの縁部から成る矩形の開口が挿入口２０ｂとして利用される。また、この第１筐体部材２１は、第１から第４の周壁体２１ｂ−２１ｅの内の隣り合うもの同士の交差部たる４つの隅部２１ｆ−２１ｉを有している（図１及び図３）。
【００２３】
主壁体２１ａには、収容室２０ａに収容されたノイズ低減素子１１を設置する（図３及び図４）。例えば、この主壁体２１ａの内壁面２１ａ１には、ノイズ低減素子１１の４つの隅部を各々保持する保持部２１ｊ−２１ｍが設けられている（図３）。収容室２０ａには、第１筐体部材２１における対角線上の一対の隅部の内の一方に第１接続部１１ａを対向配置させ、かつ、その内の他方に第２接続部１１ｂを対向配置させた状態でノイズ低減素子１１を収容する。この例示の２つのノイズ低減素子１１は、第１筐体部材２１の隅部２１ｆに第１接続部１１ａを対向配置させ、かつ、第１筐体部材２１の隅部２１ｉに第２接続部１１ｂを対向配置させている。この例示では、その２つのノイズ低減素子１１を主壁体２１ａと挿入口２０ｂとの間に沿って積層し、それぞれのノイズ低減素子１１をそれぞれの保持部２１ｊ−２１ｍに保持させる。
【００２４】
第１筐体部材２１は、第１周壁体２１ｂと第２周壁体２１ｃの対向配置方向で互いに間隔を空けた併走状態となるように第１電線ＷＥ１と第２電線ＷＥ２とが収容室２０ａに収容され、かつ、第３周壁体２１ｄと第４周壁体２１ｅの対向配置方向が第１電線ＷＥ１と第２電線ＷＥ２のそれぞれの端部ＷＥ１１，ＷＥ１２，ＷＥ２１，ＷＥ２２側の外方への引き出し方向となるように形成する。
【００２５】
第１電線ＷＥ１は、中間接続部ＷＥａ１を主壁体２１ａ側から挿入口２０ｂ側に立ち上げ、この中間接続部ＷＥａ１をそれぞれのノイズ低減素子１１の第１接続部１１ａと隅部２１ｆとの間に介在させる。また、この第１電線ＷＥ１は、中間接続部ＷＥａ１に対する一方の端部ＷＥ１１側を収容室２０ａの中でも主壁体２１ａ側で収容室２０ａの外方に引き出させ、中間接続部ＷＥａ１に対する他方の端部ＷＥ１２側を収容室２０ａの中でも挿入口２０ｂ側で収容室２０ａの外方に引き出させる。この例示では、他方の端部ＷＥ１２側がノイズ低減素子１１よりも挿入口２０ｂ側を案内されて収容室２０ａの外方に引き出される。第１筐体部材２１には、この第１電線ＷＥ１の一方の端部ＷＥ１１側を外方に引き出すための第１引出口２１ｄ１が第３周壁体２１ｄに形成され、かつ、この第１電線ＷＥ１の他方の端部ＷＥ１２側を外方に引き出すための第２引出口２１ｅ１が第４周壁体２１ｅに形成されている（図１）。
【００２６】
第２電線ＷＥ２は、中間接続部ＷＥａ２を主壁体２１ａ側から挿入口２０ｂ側に立ち上げ、この中間接続部ＷＥａ２をそれぞれのノイズ低減素子１１の第２接続部１１ｂと隅部２１ｉとの間に介在させる。また、この第２電線ＷＥ２は、中間接続部ＷＥａ２に対する一方の端部ＷＥ２１側を収容室２０ａの中でも挿入口２０ｂ側で収容室２０ａの外方に引き出させ、中間接続部ＷＥａ２に対する他方の端部ＷＥ２２側を収容室２０ａの中でも主壁体２１ａ側で収容室２０ａの外方に引き出させる。この例示では、一方の端部ＷＥ２１側がノイズ低減素子１１よりも挿入口２０ｂ側を案内されて収容室２０ａの外方に引き出される。第１筐体部材２１には、この第２電線ＷＥ２の一方の端部ＷＥ２１側を外方に引き出すための第３引出口２１ｄ２が第３周壁体２１ｄに形成され、かつ、この第２電線ＷＥ２の他方の端部ＷＥ２２側を外方に引き出すための第４引出口２１ｅ２が第４周壁体２１ｅに形成されている（図１）。
【００２７】
第２筐体部材２２は、第１筐体部材２１の収容室２０ａにおける開口（挿入口２０ｂ）を塞ぐための蓋部材として用意されている。この第２筐体部材２２は、第１筐体部材２１に対する組付け完了位置で挿入口２０ｂを塞ぐ閉塞壁体２２ａと、この閉塞壁体２２ａの周縁部から立設させた複数の周壁体２２ｂ−２２ｅと、を有する（図１及び図３）。この例示の第２筐体部材２２は、矩形の平板状の閉塞壁体２２ａと、この閉塞壁体２２ａの４つの辺部から各々同じ向きに垂設させた矩形の平板状の第１から第４の周壁体２２ｂ−２２ｅと、を有している。この第２筐体部材２２では、第１周壁体２２ｂと第２周壁体２２ｃとが互いに間隔を空けて対向配置され、第３周壁体２２ｄと第４周壁体２２ｅとが互いに間隔を空けて対向配置されている。
【００２８】
この例示の筐体２０においては、第１筐体部材２１と第２筐体部材２２との組付けが完了しているときに、それぞれの第１周壁体２１ｂ，２２ｂ同士を対向配置させ、かつ、それぞれの第２周壁体２１ｃ，２２ｃ同士を対向配置させ、かつ、それぞれの第３周壁体２１ｄ，２２ｄ同士を対向配置させ、かつ、それぞれの第４周壁体２１ｅ，２２ｅ同士を対向配置させる。そこで、第２筐体部材２２には、組付け完了位置で第３周壁体２１ｄの第１引出口２１ｄ１に対向配置されており、その第１引出口２１ｄ１と共に第１電線ＷＥ１の一方の端部ＷＥ１１側を外方に引き出すための第１引出口２２ｄ１が第３周壁体２２ｄに形成されている（図５）。また、この第２筐体部材２２には、組付け完了位置で第４周壁体２１ｅの第２引出口２１ｅ１に対向配置されており、その第２引出口２１ｅ１と共に第１電線ＷＥ１の他方の端部ＷＥ１２側を外方に引き出すための第２引出口２２ｅ１が第４周壁体２２ｅに形成されている（図１）。また、この第２筐体部材２２には、組付け完了位置で第３周壁体２１ｄの第３引出口２１ｄ２に対向配置されており、その第３引出口２１ｄ２と共に第２電線ＷＥ２の一方の端部ＷＥ２１側を外方に引き出すための第３引出口２２ｄ２が第３周壁体２２ｄに形成されている（図５）。また、この第２筐体部材２２には、組付け完了位置で第４周壁体２１ｅの第４引出口２１ｅ２に対向配置されており、その第４引出口２１ｅ２と共に第２電線ＷＥ２の他方の端部ＷＥ２２側を外方に引き出すための第４引出口２２ｅ２が第４周壁体２２ｅに形成されている（図１）。
【００２９】
このノイズフィルタ１においては、対向配置状態の第１電線ＷＥ１の中間接続部ＷＥａ１とノイズ低減素子１１の第１接続部１１ａとを間接的又は直接的に電気接続させ、かつ、対向配置状態の第２電線ＷＥ２の中間接続部ＷＥａ２とノイズ低減素子１１の第２接続部１１ｂとを間接的又は直接的に電気接続させる。このために、このノイズフィルタ１は、ノイズ低減素子１１を介在させた第１電線ＷＥ１の中間接続部ＷＥａ１と第２電線ＷＥ２の中間接続部ＷＥａ２とを収容室２０ａで間接的又は直接的に挟持して、第１電線ＷＥ１の中間接続部ＷＥａ１をノイズ低減素子１１の第１接続部１１ａに対して間接的又は直接的に電気接続させ、かつ、第２電線ＷＥ２の中間接続部ＷＥａ２をノイズ低減素子１１の第２接続部１１ｂに対して間接的又は直接的に電気接続させる挟持構造３０を備える（図１、図３及び図４）。
【００３０】
つまり、このノイズフィルタ１は、ノイズ低減素子１１を介在させた第１電線ＷＥ１の中間接続部ＷＥａ１と第２電線ＷＥ２の中間接続部ＷＥａ２とを間接的又は直接的に挟持させるだけの簡便な構造（挟持構造３０）で、第１電線ＷＥ１の中間接続部ＷＥａ１をノイズ低減素子１１の第１接続部１１ａに対して間接的又は直接的に電気接続させ、かつ、第２電線ＷＥ２の中間接続部ＷＥａ２をノイズ低減素子１１の第２接続部１１ｂに対して間接的又は直接的に電気接続させることができる。従って、このノイズフィルタ１は、体格の小型化を図ることができる。
【００３１】
更に、このノイズフィルタ１においては、第１筐体部材２１の隅部２１ｆと隅部２１ｉとを結ぶ筐体２０の対角線に沿う方向で、ノイズ低減素子１１を介在させた第１電線ＷＥ１の中間接続部ＷＥａ１と第２電線ＷＥ２の中間接続部ＷＥａ２とを間接的又は直接的に挟持させる。このため、このノイズフィルタ１は、収容室２０ａの空間を有効活用した挟持構造３０の配置が可能になり、これ故に、併走させた第１電線ＷＥ１と第２電線ＷＥ２の収容室２０ａからの引き出し方向における体格の小型化と、その第１電線ＷＥ１と第２電線ＷＥ２の配列方向における体格の小型化と、を図ることができる。
【００３２】
例えば、ここで示す挟持構造３０は、第１電線ＷＥ１の中間接続部ＷＥａ１をノイズ低減素子１１の第１接続部１１ａに向けて間接的又は直接的に押動し、その中間接続部ＷＥａ１を第１接続部１１ａに対して間接的又は直接的に電気接続させる第１押動体４０を備える（図１、図３及び図４）。更に、この挟持構造３０は、第２電線ＷＥ２の中間接続部ＷＥａ２をノイズ低減素子１１の第２接続部１１ｂに向けて間接的又は直接的に押動し、その中間接続部ＷＥａ２を第２接続部１１ｂに対して間接的又は直接的に電気接続させる第２押動体５０を備える（図１、図３及び図４）。
【００３３】
その第１押動体４０と第２押動体５０は、収容室２０ａで互いに間隔を空けて対向配置させる。そして、第１押動体４０と第２押動体５０は、ノイズ低減素子１１を介在させた第１電線ＷＥ１の中間接続部ＷＥａ１と第２電線ＷＥ２の中間接続部ＷＥａ２とを間接的又は直接的に挟持させるものとして形成する。この例示の第１押動体４０は、第１電線ＷＥ１の中間接続部ＷＥａ１と第１筐体部材２１の隅部２１ｆとの間に介在させる。また、この例示の第２押動体５０は、第２電線ＷＥ２の中間接続部ＷＥａ２と第１筐体部材２１の隅部２１ｉとの間に介在させる。
【００３４】
ここで、第１押動体４０と第２押動体５０は、ノイズ低減素子１１を介在させた第１電線ＷＥ１の中間接続部ＷＥａ１と第２電線ＷＥ２の中間接続部ＷＥａ２とを第１筐体部材２１と第２筐体部材２２との組付け完了位置で間接的又は直接的に挟持させるものとして形成する。そこで、このノイズフィルタ１においては、その第１押動体４０と第２押動体５０を筐体２０に設ける。例えば、第１押動体４０と第２押動体５０は、第１筐体部材２１又は第２筐体部材２２に設けてもよく、その内の一方を第１筐体部材２１に設けると共にその内の他方を第２筐体部材２２に設けてもよい。この例示では、第１押動体４０と第２押動体５０を第２筐体部材２２に設けている（図１及び図４）。ここでは、閉塞壁体２２ａの内壁面２２ａ１に第１押動体４０と第２押動体５０とを設けている（図４）。
【００３５】
第１押動体４０と第２押動体５０は、第２筐体部材２２とは別の部品として成形し、この第２筐体部材２２に取り付けてもよい。但し、この場合には、第１押動体４０と第２筐体部材２２との間の固定構造と、第２押動体５０と第２筐体部材２２との間の固定構造と、が必要になる。従って、この例示のノイズフィルタ１においては、その固定構造に必要な構成部品を減らすべく、第２筐体部材２２を成形する際に、第１押動体４０と第２押動体５０についても第２筐体部材２２と一緒に一体成形させる。
【００３６】
第１押動体４０と第２押動体５０は、第１筐体部材２１と第２筐体部材２２の組付けが始まってからその組付けが完了するまでの間に、ノイズ低減素子１１を介在させた第１電線ＷＥ１の中間接続部ＷＥａ１と第２電線ＷＥ２の中間接続部ＷＥａ２とを間接的又は直接的に挟持させるものとして形成すればよい。例えば、第１押動体４０と第２押動体５０は、第１筐体部材２１と第２筐体部材２２の組付けが完了したときに、ノイズ低減素子１１を介在させた第１電線ＷＥ１の中間接続部ＷＥａ１と第２電線ＷＥ２の中間接続部ＷＥａ２とを間接的又は直接的に挟持させるものとして形成する。
【００３７】
ここで示す第１押動体４０は、弾性変形に伴う反力で第１電線ＷＥ１の中間接続部ＷＥａ１をノイズ低減素子１１の第１接続部１１ａに向けて間接的又は直接的に押動させるものとして形成している。この例示の第１押動体４０は、閉塞壁体２２ａの内壁面２２ａ１から突出させた基部４１と、その基部４１の突出方向側の端部から折り返され、内壁面２２ａ１側に向けて延在させた弾性変形可能な弾性変形部４２と、を有している（図１、図３及び図４）。
【００３８】
基部４１は、弾性変形が可能なものであってもよく、弾性変形が不能なものであってもよい。この例示の基部４１は、矩形の平板状に形成し、第１筐体部材２１と第２筐体部材２２との組付け完了位置で一方の平面が第１電線ＷＥ１の中間接続部ＷＥａ１に対向配置され、かつ、その組付け完了位置で他方の平面が第１筐体部材２１の隅部２１ｆに対向配置されるように配置する。
【００３９】
弾性変形部４２は、基部４１の突出方向側の端部側を固定端とし、内壁面２２ａ１側を自由端とする弾性変形可能な片持ちの片体状に形成している。この例示の弾性変形部４２は、弧状の片体として形成し、第１筐体部材２１と第２筐体部材２２との組付け完了位置で凸側の曲面を第１電線ＷＥ１の中間接続部ＷＥａ１に対向配置させる。
【００４０】
また、ここで示す第２押動体５０は、弾性変形に伴う反力で第２電線ＷＥ２の中間接続部ＷＥａ２をノイズ低減素子１１の第２接続部１１ｂに向けて間接的又は直接的に押動させるものとして形成している。この例示の第２押動体５０は、第１押動体４０と同様の基部５１と弾性変形部５２とを有している（図１、図３及び図４）。この例示の第２押動体５０において、基部５１は、矩形の平板状に形成し、第１筐体部材２１と第２筐体部材２２との組付け完了位置で一方の平面が第２電線ＷＥ２の中間接続部ＷＥａ２に対向配置され、かつ、その組付け完了位置で他方の平面が第１筐体部材２１の隅部２１ｉに対向配置されるように配置する。また、この例示の第２押動体５０において、弾性変形部５２は、片持ちの弧状の片体として形成し、第１筐体部材２１と第２筐体部材２２との組付け完了位置で凸側の曲面を第２電線ＷＥ２の中間接続部ＷＥａ２に対向配置させる。
【００４１】
このように、ここで示すノイズフィルタ１は、ノイズ低減素子１１を介在させた第１電線ＷＥ１の中間接続部ＷＥａ１と第２電線ＷＥ２の中間接続部ＷＥａ２とを第１押動体４０と第２押動体５０とで間接的又は直接的に挟持させるだけの簡便な構造で、第１電線ＷＥ１の中間接続部ＷＥａ１をノイズ低減素子１１の第１接続部１１ａに対して間接的又は直接的に電気接続させ、かつ、第２電線ＷＥ２の中間接続部ＷＥａ２をノイズ低減素子１１の第２接続部１１ｂに対して間接的又は直接的に電気接続させることができる。つまり、このノイズフィルタ１は、そのようなノイズ低減素子１１と一対の押動体（第１押動体４０、第２押動体５０）という少量の構成部品で、そのノイズ低減素子１１の第１接続部１１ａと第２接続部１１ｂに第１電線ＷＥ１の中間接続部ＷＥａ１と第２電線ＷＥ２の中間接続部ＷＥａ２を電気接続させることができる。従って、このノイズフィルタ１は、体格の小型化を図ることができる。
【００４２】
更に、このノイズフィルタ１においては、第１筐体部材２１の隅部２１ｆと隅部２１ｉとを結ぶ筐体２０の対角線に沿う方向で、ノイズ低減素子１１を介在させた第１電線ＷＥ１の中間接続部ＷＥａ１と第２電線ＷＥ２の中間接続部ＷＥａ２とを第１押動体４０と第２押動体５０とで間接的又は直接的に挟持させる。このため、このノイズフィルタ１は、先に示したように、収容室２０ａの空間を有効活用した挟持構造３０の配置が可能になり、これ故に、併走させた第１電線ＷＥ１と第２電線ＷＥ２の収容室２０ａからの引き出し方向における体格の小型化と、その第１電線ＷＥ１と第２電線ＷＥ２の配列方向における体格の小型化と、を図ることができる。
【００４３】
例えば、このノイズフィルタ１においては、ノイズ低減素子１１を挿入口２０ｂから収容室２０ａに収容した後、その挿入口２０ｂから第１電線ＷＥ１の中間接続部ＷＥａ１と第２電線ＷＥ２の中間接続部ＷＥａ２とを収容室２０ａに収容する。その第１電線ＷＥ１と第２電線ＷＥ２の収容に際して、第１筐体部材２１においては、第１電線ＷＥ１の一方の端部ＷＥ１１側が挿入口２０ｂ側から第１引出口２１ｄ１に挿入され、かつ、第１電線ＷＥ１の他方の端部ＷＥ１２側が挿入口２０ｂ側から第２引出口２１ｅ１に挿入され、かつ、第２電線ＷＥ２の一方の端部ＷＥ２１側が挿入口２０ｂ側から第３引出口２１ｄ２に挿入され、かつ、第２電線ＷＥ２の他方の端部ＷＥ２２側が挿入口２０ｂ側から第４引出口２１ｅ２に挿入される。
【００４４】
このノイズフィルタ１においては、その第１筐体部材２１に第２筐体部材２２を組み付ける。ここでは、挿入口２０ｂを塞ぐと共に、第１電線ＷＥ１の一方の端部ＷＥ１１側を第１引出口２２ｄ１に挿入させ、かつ、第１電線ＷＥ１の他方の端部ＷＥ１２側を第２引出口２２ｅ１に挿入させ、かつ、第２電線ＷＥ２の一方の端部ＷＥ２１側を第３引出口２２ｄ２に挿入させ、かつ、第２電線ＷＥ２の他方の端部ＷＥ２２側を第４引出口２２ｅ２に挿入させるように、第２筐体部材２２を第１筐体部材２１に組み付ける。
【００４５】
このノイズフィルタ１においては、第２筐体部材２２を第１筐体部材２１に組み付けて行くに連れて、第１押動体４０が第１電線ＷＥ１の中間接続部ＷＥａ１と第１筐体部材２１の隅部２１ｆとの間に挿入され、かつ、第２押動体５０が第２電線ＷＥ２の中間接続部ＷＥａ２と第１筐体部材２１の隅部２１ｉとの間に挿入されていく。このノイズフィルタ１においては、その組付けが更に進むと、第１押動体４０の弾性変形部４２が第１電線ＷＥ１の中間接続部ＷＥａ１をノイズ低減素子１１の第１接続部１１ａに向けて間接的又は直接的に押動し、かつ、第２押動体５０の弾性変形部５２が第２電線ＷＥ２の中間接続部ＷＥａ２をノイズ低減素子１１の第２接続部１１ｂに向けて間接的又は直接的に押動していく。そして、このノイズフィルタ１においては、遅くとも第１筐体部材２１と第２筐体部材２２との組付けが完了したときに、弾性変形部４２による中間接続部ＷＥａ１の第１接続部１１ａに対する間接的又は直接的な押動状態が保たれ、かつ、弾性変形部５２による中間接続部ＷＥａ２の第２接続部１１ｂに対する間接的又は直接的な押動状態が保たれる。従って、このノイズフィルタ１においては、遅くとも第１筐体部材２１と第２筐体部材２２との組付けが完了したときに、第１電線ＷＥ１の中間接続部ＷＥａ１とノイズ低減素子１１の第１接続部１１ａとが電気接続され、かつ、第２電線ＷＥ２の中間接続部ＷＥａ２とノイズ低減素子１１の第２接続部１１ｂとが電気接続されて、これらの電気接続状態が保たれる。
【００４６】
このように、このノイズフィルタ１は、第１筐体部材２１と第２筐体部材２２とを組み付けていくだけの簡便な組付け作業で、ノイズ低減素子１１を介在させた第１電線ＷＥ１の中間接続部ＷＥａ１と第２電線ＷＥ２の中間接続部ＷＥａ２とを第１押動体４０と第２押動体５０とで間接的又は直接的に挟持させ、中間接続部ＷＥａ１及び第１接続部１１ａの電気接続状態と中間接続部ＷＥａ２及び第２接続部１１ｂの電気接続状態を保たせることができる。従って、このノイズフィルタ１は、組付け作業性に優れたものとなっている。
【００４７】
ところで、ここで示す挟持構造３０は、第１電線ＷＥ１の中間接続部ＷＥａ１に対して物理的且つ電気的に接続されると共に、第１押動体４０に押動されてノイズ低減素子１１の第１接続部１１ａに接触させられる第１電線接続部材６１を備えている（図１、図３及び図４）。つまり、このノイズフィルタ１においては、第１電線接続部材６１を介して第１押動体４０からの押圧力を第１電線ＷＥ１の中間接続部ＷＥａ１に間接的に作用させ、かつ、その押圧力で第１電線接続部材６１をノイズ低減素子１１の第１接続部１１ａに押し付けることによって、中間接続部ＷＥａ１と第１接続部１１ａとの間を間接的に電気接続させる。
【００４８】
また、ここで示す挟持構造３０は、第２電線ＷＥ２の中間接続部ＷＥａ２に対して物理的且つ電気的に接続されると共に、第２押動体５０に押動されてノイズ低減素子１１の第２接続部１１ｂに接触させられる第２電線接続部材６２を備えている（図１、図３及び図４）。つまり、このノイズフィルタ１においては、第２電線接続部材６２を介して第２押動体５０からの押圧力を第２電線ＷＥ２の中間接続部ＷＥａ２に間接的に作用させ、かつ、その押圧力で第２電線接続部材６２をノイズ低減素子１１の第２接続部１１ｂに押し付けることによって、中間接続部ＷＥａ２と第２接続部１１ｂとの間を間接的に電気接続させる。
【００４９】
第１電線接続部材６１と第２電線接続部材６２は、各々、金属等の導電性材料で成形されている。例えば、第１電線接続部材６１は、金属板を第１電線ＷＥ１の中間接続部ＷＥａ１に対して巻き付けながら加締めていくことによって、その中間接続部ＷＥａ１に対して物理的且つ電気的に接続させる。また、第２電線接続部材６２は、金属板を第２電線ＷＥ２の中間接続部ＷＥａ２に対して巻き付けながら加締めていくことによって、その中間接続部ＷＥａ２に対して物理的且つ電気的に接続させる。
【００５０】
この例示の第１電線接続部材６１は、矩形の平板状の基部６１ａと、その基部６１ａにおける対向配置状態の２つの辺部から突出させ、かつ、互いに間隔を空けて対向配置させた２つの片部６１ｂと、を有する（図６）。この第１電線接続部材６１は、その２つの片部６１ｂを第１電線ＷＥ１の中間接続部ＷＥａ１に対して巻き付けながら加締めていくことによって、その中間接続部ＷＥａ１に対して物理的且つ電気的に接続させる。更に、この第１電線接続部材６１は、基部６１ａの外側の平面から膨出させた接点部６１ｃを有している（図６）。その接点部６１ｃは、ノイズ低減素子１１の第１接続部１１ａ毎に設け、第１筐体部材２１と第２筐体部材２２との組付け完了位置で第１接続部１１ａに対向配置させる。
【００５１】
また、この例示の第２電線接続部材６２は、第１電線接続部材６１と同様の基部６２ａと２つの片部６２ｂと接点部６２ｃとを有している（図６）。この第２電線接続部材６２は、接点部６２ｃをノイズ低減素子１１の第２接続部１１ｂ毎に設け、第１筐体部材２１と第２筐体部材２２との組付け完了位置で、接点部６２ｃをノイズ低減素子１１の第２接続部１１ｂに対向配置させる。
【００５２】
ここで、第１電線ＷＥ１と第２電線ＷＥ２とが丸導体等の単線を芯線ＷＥａとして備えるものであるならば、このノイズフィルタ１は、第１電線接続部材６１や第２電線接続部材６２を備えずともよい。また、このノイズフィルタ１は、第１電線ＷＥ１と第２電線ＷＥ２とが複数本の素線の集合体を芯線ＷＥａとして備えるものであったとしても、それぞれの中間接続部ＷＥａ１，ＷＥａ２における複数本の素線を熱圧着等で溶着して一纏めに固着させることによって、第１電線接続部材６１や第２電線接続部材６２を備えないようにしてもよい。この場合のノイズフィルタ１においては、第１押動体４０からの押圧力を第１電線ＷＥ１の中間接続部ＷＥａ１に直接的に作用させ、かつ、その押圧力で中間接続部ＷＥａ１をノイズ低減素子１１の第１接続部１１ａに押し付けることによって、中間接続部ＷＥａ１と第１接続部１１ａとの間が直接的に電気接続される。また、この場合のノイズフィルタ１においては、第２押動体５０からの押圧力を第２電線ＷＥ２の中間接続部ＷＥａ２に直接的に作用させ、かつ、その押圧力で中間接続部ＷＥａ２をノイズ低減素子１１の第２接続部１１ｂに押し付けることによって、中間接続部ＷＥａ２と第２接続部１１ｂとの間が直接的に電気接続される。
【００５３】
例えば、このノイズフィルタ１は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ１の取り付けが完了する。
【００５４】
以上示したように、本実施形態のノイズフィルタ１は、体格の小型化を図ることができる。更に、ここで示した具体例のノイズフィルタ１は、組付け作業性を向上させることができる。また、本実施形態のワイヤハーネスＷＨは、そのようなノイズフィルタ１を具備するものであり、このノイズフィルタ１が得られる効果を奏することができる。
【００５５】
［変形例１］
図７から図１０の符号２は、本変形例のノイズフィルタを示す。このノイズフィルタ２は、前述した実施形態のノイズフィルタ１において以下の点を変更したものである。そこで、以下の説明においては、実施形態のノイズフィルタ１と同じ部品や同等の機能を為す部位等について、便宜上、そのノイズフィルタ１と同じ符号を付し、その説明を省略する。
【００５６】
このノイズフィルタ２は、実施形態のノイズフィルタ１の筐体２０を下記の筐体１２０に置き換えている（図７から図１０）。
【００５７】
筐体１２０は、実施形態の筐体２０と同じように、互いに組み付けられる第１筐体部材１２１と第２筐体部材１２２とを備える（図７から図１０）。
【００５８】
第１筐体部材１２１は、実施形態の第１筐体部材２１と同じように、収容室１２０ａと挿入口１２０ｂとを有する収容箱であり、矩形の平板状の主壁体１２１ａと矩形の平板状の第１から第４の周壁体１２１ｂ−１２１ｅと、を有している（図７）。
【００５９】
収容室１２０ａには、第１周壁体１２１ｂに第１接続部１１ａを対向配置させ、かつ、第２周壁体１２１ｃに第２接続部１１ｂを対向配置させた状態でノイズ低減素子１１を収容する。本変形例でも、この収容室１２０ａには、２つのノイズ低減素子１１を収容する。その２つのノイズ低減素子１１は、第３周壁体１２１ｄと第４周壁体１２１ｅとの間に沿って積層されている。
【００６０】
また、収容室１２０ａには、第１周壁体１２１ｂと第２周壁体１２１ｃの対向配置方向で互いに間隔を空けた併走状態となり、かつ、第３周壁体１２１ｄと第４周壁体１２１ｅの対向配置方向が軸線方向となるように、第１電線ＷＥ１と第２電線ＷＥ２とを収容する。第１筐体部材１２１は、そのような収容室１２０ａを形成すると共に、第３周壁体１２１ｄと第４周壁体１２１ｅの対向配置方向が第１電線ＷＥ１と第２電線ＷＥ２のそれぞれの端部ＷＥ１１，ＷＥ１２，ＷＥ２１，ＷＥ２２側の外方への引き出し方向となるように形成する。
【００６１】
第１電線ＷＥ１は、中間接続部ＷＥａ１をそれぞれのノイズ低減素子１１の第１接続部１１ａと第１周壁体１２１ｂとの間に介在させる。この第１電線ＷＥ１は、第３周壁体１２１ｄの第１引出口１２１ｄ１から一方の端部ＷＥ１１側を外方に引き出させ、かつ、第４周壁体１２１ｅの第２引出口１２１ｅ１から他方の端部ＷＥ１２側を外方に引き出させる（図７）。一方、第２電線ＷＥ２は、中間接続部ＷＥａ２をそれぞれのノイズ低減素子１１の第２接続部１１ｂと第２周壁体１２１ｃとの間に介在させる。この第２電線ＷＥ２は、第３周壁体１２１ｄの第３引出口１２１ｄ２から一方の端部ＷＥ２１側を外方に引き出させ、かつ、第４周壁体１２１ｅの第４引出口１２１ｅ２から他方の端部ＷＥ２２側を外方に引き出させる（図７）。
【００６２】
第２筐体部材１２２は、実施形態の第２筐体部材２２と同じように、第１筐体部材１２１の収容室１２０ａにおける開口（挿入口１２０ｂ）を塞ぐための蓋部材として用意されており、矩形の平板状の閉塞壁体１２２ａと矩形の平板状の第１から第４の周壁体１２２ｂ−１２２ｅとを有している（図７）。
【００６３】
この例示の筐体１２０においては、第１筐体部材１２１と第２筐体部材１２２との組付けが完了しているときに、それぞれの第１周壁体１２１ｂ，１２２ｂ同士を対向配置させ、かつ、それぞれの第２周壁体１２１ｃ，１２２ｃ同士を対向配置させ、かつ、それぞれの第３周壁体１２１ｄ，１２２ｄ同士を対向配置させ、かつ、それぞれの第４周壁体１２１ｅ，１２２ｅ同士を対向配置させる。第２筐体部材１２２には、組付け完了位置で第３周壁体１２１ｄの第１引出口１２１ｄ１に対向配置されており、その第１引出口１２１ｄ１と共に第１電線ＷＥ１の一方の端部ＷＥ１１側を外方に引き出すための第１引出口１２２ｄ１が第３周壁体１２２ｄに形成されている（図１１）。また、この第２筐体部材１２２には、組付け完了位置で第４周壁体１２１ｅの第２引出口１２１ｅ１に対向配置されており、その第２引出口１２１ｅ１と共に第１電線ＷＥ１の他方の端部ＷＥ１２側を外方に引き出すための第２引出口１２２ｅ１が第４周壁体１２２ｅに形成されている（図７）。また、この第２筐体部材１２２には、組付け完了位置で第３周壁体１２１ｄの第３引出口１２１ｄ２に対向配置されており、その第３引出口１２１ｄ２と共に第２電線ＷＥ２の一方の端部ＷＥ２１側を外方に引き出すための第３引出口１２２ｄ２が第３周壁体１２２ｄに形成されている（図１１）。また、この第２筐体部材１２２には、組付け完了位置で第４周壁体１２１ｅの第４引出口１２１ｅ２に対向配置されており、その第４引出口１２１ｅ２と共に第２電線ＷＥ２の他方の端部ＷＥ２２側を外方に引き出すための第４引出口１２２ｅ２が第４周壁体１２２ｅに形成されている（図７）。
【００６４】
このノイズフィルタ２は、実施形態のノイズフィルタ１と同様の挟持構造３０を備えている（図７、図９及び図１０）。そして、本変形例の挟持構造３０は、実施形態の挟持構造３０と同じように、第１電線ＷＥ１の中間接続部ＷＥａ１をノイズ低減素子１１の第１接続部１１ａに向けて間接的又は直接的に押動し、その中間接続部ＷＥａ１を第１接続部１１ａに対して間接的又は直接的に電気接続させる第１押動体１４０と、第２電線ＷＥ２の中間接続部ＷＥａ２をノイズ低減素子１１の第２接続部１１ｂに向けて間接的又は直接的に押動し、その中間接続部ＷＥａ２を第２接続部１１ｂに対して間接的又は直接的に電気接続させる第２押動体１５０と、を備えている（図９及び図１０）。
【００６５】
その第１押動体１４０と第２押動体１５０は、実施形態の第１押動体４０及び第２押動体５０と同じように、収容室１２０ａで互いに間隔を空けて対向配置させる。そして、第１押動体１４０と第２押動体１５０は、ノイズ低減素子１１を介在させた第１電線ＷＥ１の中間接続部ＷＥａ１と第２電線ＷＥ２の中間接続部ＷＥａ２とを間接的又は直接的に挟持させるものとして形成する。但し、本変形例の第１押動体１４０は、第１電線ＷＥ１の中間接続部ＷＥａ１と第１筐体部材１２１の第１周壁体１２１ｂとの間に介在させる。また、本変形例の第２押動体１５０は、第２電線ＷＥ２の中間接続部ＷＥａ２と第１筐体部材１２１の第２周壁体１２１ｃとの間に介在させる。
【００６６】
この第１押動体１４０と第２押動体１５０は、実施形態の第１押動体４０及び第２押動体５０と同じように、ノイズ低減素子１１を介在させた第１電線ＷＥ１の中間接続部ＷＥａ１と第２電線ＷＥ２の中間接続部ＷＥａ２とを第１筐体部材１２１と第２筐体部材１２２との組付け完了位置で間接的又は直接的に挟持させるものとして形成する。但し、本変形例の第１押動体１４０と第２押動体１５０は、第１筐体部材１２１に設けている（図９及び図１０）。ここでは、第１周壁体１２１ｂの内壁面１２１ｂ１に第１押動体１４０を設け、第２周壁体１２１ｃの内壁面１２１ｃ１に第２押動体１５０を設けている。
【００６７】
その第１押動体１４０と第２押動体１５０は、第１筐体部材１２１とは別の部品として成形し、この第１筐体部材１２１に固定構造で取り付けてもよいが、その固定構造に必要な構成部品を減らすべく、第１筐体部材１２１を成形する際に、第１押動体１４０と第２押動体１５０についても第１筐体部材１２１と一緒に一体成形させることが望ましい。
【００６８】
ここで示す第１押動体１４０は、弾性変形に伴う反力で第１電線ＷＥ１の中間接続部ＷＥａ１をノイズ低減素子１１の第１接続部１１ａに向けて間接的又は直接的に押動させるものとして形成している。この例示の第１押動体１４０は、内壁面１２１ｂ１から自由端側を浮き上がらせた弾性変形可能な片持ちの片体状に形成している。また、ここで示す第２押動体１５０は、弾性変形に伴う反力で第２電線ＷＥ２の中間接続部ＷＥａ２をノイズ低減素子１１の第２接続部１１ｂに向けて間接的又は直接的に押動させるものとして形成している。この例示の第２押動体１５０は、内壁面１２１ｃ１から自由端側を浮き上がらせた弾性変形可能な片持ちの片体状に形成している。
【００６９】
このように、ここで示すノイズフィルタ２は、実施形態のノイズフィルタ１と同じように、ノイズ低減素子１１を介在させた第１電線ＷＥ１の中間接続部ＷＥａ１と第２電線ＷＥ２の中間接続部ＷＥａ２とを第１押動体１４０と第２押動体１５０とで間接的又は直接的に挟持させるだけの簡便な構造で、第１電線ＷＥ１の中間接続部ＷＥａ１をノイズ低減素子１１の第１接続部１１ａに対して間接的又は直接的に電気接続させ、かつ、第２電線ＷＥ２の中間接続部ＷＥａ２をノイズ低減素子１１の第２接続部１１ｂに対して間接的又は直接的に電気接続させることができる。つまり、このノイズフィルタ２は、実施形態のノイズフィルタ１と同じように、そのようなノイズ低減素子１１と一対の押動体（第１押動体１４０、第２押動体１５０）という少量の構成部品で、そのノイズ低減素子１１の第１接続部１１ａと第２接続部１１ｂに第１電線ＷＥ１の中間接続部ＷＥａ１と第２電線ＷＥ２の中間接続部ＷＥａ２を電気接続させることができる。従って、このノイズフィルタ２は、体格の小型化を図ることができる。
【００７０】
更に、このノイズフィルタ２においては、第１周壁体１２１ｂと第２周壁体１２１ｃとの間に沿って、ノイズ低減素子１１と第１電線ＷＥ１と第２電線ＷＥ２と第１押動体１４０と第２押動体１５０を並べて配置しているので、第３周壁体１２１ｄと第４周壁体１２１ｅとの間を狭めることができる。従って、このノイズフィルタ２は、その第３周壁体１２１ｄと第４周壁体１２１ｅの対向配置方向における体格の小型化を図ることができる。
【００７１】
例えば、このノイズフィルタ２においては、ノイズ低減素子１１を挿入口１２０ｂから収容室１２０ａに収容した後、その挿入口１２０ｂから第１電線ＷＥ１の中間接続部ＷＥａ１と第２電線ＷＥ２の中間接続部ＷＥａ２とを収容室１２０ａに収容する。その際、第１電線ＷＥ１は、例えば、中間接続部ＷＥａ１で第１押動体１４０を間接的又は直接的に押動して弾性変形させながら、中間接続部ＷＥａ１を第１押動体１４０とノイズ低減素子１１の第１接続部１１ａとの間に挿入していく。そして、この第１電線ＷＥ１は、一方の端部ＷＥ１１側を挿入口１２０ｂ側から第１引出口１２１ｄ１に挿入し、かつ、他方の端部ＷＥ１２側を挿入口１２０ｂ側から第２引出口１２１ｅ１に挿入していく。また、第２電線ＷＥ２は、例えば、中間接続部ＷＥａ２で第２押動体１５０を間接的又は直接的に押動して弾性変形させながら、中間接続部ＷＥａ２を第２押動体１５０とノイズ低減素子１１の第２接続部１１ｂとの間に挿入していく。そして、この第２電線ＷＥ２は、一方の端部ＷＥ２１側を挿入口１２０ｂ側から第３引出口１２１ｄ２に挿入し、かつ、他方の端部ＷＥ２２側を挿入口１２０ｂ側から第４引出口１２１ｅ２に挿入していく。
【００７２】
これにより、収容室１２０ａにおいては、ノイズ低減素子１１を介在させた第１電線ＷＥ１の中間接続部ＷＥａ１と第２電線ＷＥ２の中間接続部ＷＥａ２とが第１押動体１４０と第２押動体１５０とで間接的又は直接的に挟持される。従って、このノイズフィルタ２においては、ノイズ低減素子１１と第１電線ＷＥ１と第２電線ＷＥ２の収容室１２０ａへの収容が完了したときに、第１電線ＷＥ１の中間接続部ＷＥａ１とノイズ低減素子１１の第１接続部１１ａとが電気接続され、かつ、第２電線ＷＥ２の中間接続部ＷＥａ２とノイズ低減素子１１の第２接続部１１ｂとが電気接続されて、これらの電気接続状態が保たれる。
【００７３】
このノイズフィルタ２においては、その第１筐体部材１２１に第２筐体部材１２２を組み付ける。ここでは、挿入口１２０ｂを塞ぐと共に、第１電線ＷＥ１の一方の端部ＷＥ１１側を第１引出口１２２ｄ１に挿入させ、かつ、第１電線ＷＥ１の他方の端部ＷＥ１２側を第２引出口１２２ｅ１に挿入させ、かつ、第２電線ＷＥ２の一方の端部ＷＥ２１側を第３引出口１２２ｄ２に挿入させ、かつ、第２電線ＷＥ２の他方の端部ＷＥ２２側を第４引出口１２２ｅ２に挿入させるように、第２筐体部材１２２を第１筐体部材１２１に組み付ける。
【００７４】
このように、このノイズフィルタ２は、ノイズ低減素子１１と第１電線ＷＥ１と第２電線ＷＥ２を収容室１２０ａに収容していくだけの簡便な組付け作業で、ノイズ低減素子１１を介在させた第１電線ＷＥ１の中間接続部ＷＥａ１と第２電線ＷＥ２の中間接続部ＷＥａ２とを第１押動体１４０と第２押動体１５０とで間接的又は直接的に挟持させ、中間接続部ＷＥａ１及び第１接続部１１ａの電気接続状態と中間接続部ＷＥａ２及び第２接続部１１ｂの電気接続状態を保たせることができる。従って、このノイズフィルタ２は、組付け作業性に優れたものとなっている。
【００７５】
ところで、ここで示す挟持構造３０においては、実施形態の挟持構造３０と同じように、第１電線ＷＥ１の中間接続部ＷＥａ１に対して第１電線接続部材６１が取り付けられ、第２電線ＷＥ２の中間接続部ＷＥａ２に対して第２電線接続部材６２が取り付けられている（図７、図９及び図１０）。
【００７６】
ここで、第１押動体１４０は、加締め後の２つの片部６１ｂの形状に合わせた弧状面を有するものであってもよく、この場合、その弧状面で加締め後の２つの片部６１ｂを押動させる。また、第２押動体１５０は、加締め後の２つの片部６２ｂの形状に合わせた弧状面を有するものであってもよく、この場合、その弧状面で加締め後の２つの片部６２ｂを押動させる。
【００７７】
このノイズフィルタ２においては、第１電線接続部材６１を介して第１押動体１４０からの押圧力を第１電線ＷＥ１の中間接続部ＷＥａ１に間接的に作用させ、かつ、その押圧力で第１電線接続部材６１をノイズ低減素子１１の第１接続部１１ａに押し付けることによって、中間接続部ＷＥａ１と第１接続部１１ａとの間を間接的に電気接続させる。更に、このノイズフィルタ２においては、第２電線接続部材６２を介して第２押動体５０からの押圧力を第２電線ＷＥ２の中間接続部ＷＥａ２に間接的に作用させ、かつ、その押圧力で第２電線接続部材６２をノイズ低減素子１１の第２接続部１１ｂに押し付けることによって、中間接続部ＷＥａ２と第２接続部１１ｂとの間を間接的に電気接続させる。
【００７８】
また、このノイズフィルタ２は、第１電線ＷＥ１と第２電線ＷＥ２とが丸導体等の単線を芯線ＷＥａとして備える場合、又は、第１電線ＷＥ１と第２電線ＷＥ２のそれぞれの中間接続部ＷＥａ１，ＷＥａ２における複数本の素線を熱圧着等で溶着して一纏めに固着させた場合、第１電線接続部材６１や第２電線接続部材６２を備えずともよい。この場合のノイズフィルタ２においては、第１押動体１４０からの押圧力を第１電線ＷＥ１の中間接続部ＷＥａ１に直接的に作用させ、かつ、その押圧力で中間接続部ＷＥａ１をノイズ低減素子１１の第１接続部１１ａに押し付けることによって、中間接続部ＷＥａ１と第１接続部１１ａとの間が直接的に電気接続される。また、この場合のノイズフィルタ２においては、第２押動体１５０からの押圧力を第２電線ＷＥ２の中間接続部ＷＥａ２に直接的に作用させ、かつ、その押圧力で中間接続部ＷＥａ２をノイズ低減素子１１の第２接続部１１ｂに押し付けることによって、中間接続部ＷＥａ２と第２接続部１１ｂとの間が直接的に電気接続される。
【００７９】
例えば、このノイズフィルタ２は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ２の取り付けが完了する。
【００８０】
以上示したように、本変形例のノイズフィルタ２は、体格の小型化を図ることができる。更に、このノイズフィルタ２は、組付け作業性を向上させることができる。また、本変形例のワイヤハーネスＷＨは、そのようなノイズフィルタ２を具備するものであり、このノイズフィルタ２が得られる効果を奏することができる。
【００８１】
［変形例２］
図１２から図１５の符号３は、本変形例のノイズフィルタを示す。このノイズフィルタ３は、前述した実施形態のノイズフィルタ１において以下の点を変更したものである。そこで、以下の説明においては、実施形態のノイズフィルタ１と同じ部品や同等の機能を為す部位等について、便宜上、そのノイズフィルタ１と同じ符号を付し、その説明を省略する。
【００８２】
このノイズフィルタ３は、実施形態のノイズフィルタ１の筐体２０を下記の筐体２２０に置き換えている。
【００８３】
筐体２２０は、実施形態の筐体２０と同じように、互いに組み付けられる第１筐体部材２２１と第２筐体部材２２２とを備える（図１２から図１５）。
【００８４】
第１筐体部材２２１は、実施形態の第１筐体部材２１と同じように、収容室２２０ａと挿入口２２０ｂとを有する収容箱であり、矩形の平板状の主壁体２２１ａと矩形の平板状の第１から第４の周壁体２２１ｂ−２２１ｅと、を有している（図１２）。
【００８５】
収容室２２０ａには、第１周壁体２２１ｂに第１接続部１１ａを対向配置させ、かつ、第２周壁体２２１ｃに第２接続部１１ｂを対向配置させた状態でノイズ低減素子１１を収容する。本変形例でも、この収容室２２０ａには、２つのノイズ低減素子１１を収容する。その２つのノイズ低減素子１１は、主壁体１２１ａと挿入口１２０ｂとの間に沿って積層されている。
【００８６】
また、収容室２２０ａには、第１周壁体２２１ｂと第２周壁体２２１ｃの対向配置方向で互いに間隔を空けた併走状態となり、かつ、第３周壁体２２１ｄと第４周壁体２２１ｅの対向配置方向が軸線方向となるように、第１電線ＷＥ１と第２電線ＷＥ２とを収容する。第１筐体部材２２１は、そのような収容室２２０ａを形成すると共に、第３周壁体２２１ｄと第４周壁体２２１ｅの対向配置方向が第１電線ＷＥ１と第２電線ＷＥ２のそれぞれの端部ＷＥ１１，ＷＥ１２，ＷＥ２１，ＷＥ２２側の外方への引き出し方向となるように形成する。
【００８７】
第１電線ＷＥ１は、中間接続部ＷＥａ１をそれぞれのノイズ低減素子１１の第１接続部１１ａと第１周壁体２２１ｂとの間に介在させる。この第１電線ＷＥ１は、第３周壁体２２１ｄの第１引出口２２１ｄ１から一方の端部ＷＥ１１側を外方に引き出させ、かつ、第４周壁体２２１ｅの第２引出口２２１ｅ１から他方の端部ＷＥ１２側を外方に引き出させる（図１２）。一方、第２電線ＷＥ２は、中間接続部ＷＥａ２をそれぞれのノイズ低減素子１１の第２接続部１１ｂと第２周壁体２２１ｃとの間に介在させる。この第２電線ＷＥ２は、第３周壁体２２１ｄの第３引出口２２１ｄ２から一方の端部ＷＥ２１側を外方に引き出させ、かつ、第４周壁体２２１ｅの第４引出口２２１ｅ２から他方の端部ＷＥ２２側を外方に引き出させる（図１２）。
【００８８】
第２筐体部材２２２は、実施形態の第２筐体部材２２と同じように、第１筐体部材２２１の収容室２２０ａにおける開口（挿入口２２０ｂ）を塞ぐための蓋部材として用意されており、矩形の平板状の閉塞壁体２２２ａと矩形の平板状の第１から第４の周壁体２２２ｂ−２２２ｅとを有している（図１２）。
【００８９】
この例示の筐体２２０においては、第１筐体部材２２１と第２筐体部材２２２との組付けが完了しているときに、それぞれの第１周壁体２２１ｂ，２２２ｂ同士を対向配置させ、かつ、それぞれの第２周壁体２２１ｃ，２２２ｃ同士を対向配置させ、かつ、それぞれの第３周壁体２２１ｄ，２２２ｄ同士を対向配置させ、かつ、それぞれの第４周壁体２２１ｅ，２２２ｅ同士を対向配置させる。第２筐体部材２２２には、組付け完了位置で第３周壁体２２１ｄの第１引出口２２１ｄ１に対向配置されており、その第１引出口２２１ｄ１と共に第１電線ＷＥ１の一方の端部ＷＥ１１側を外方に引き出すための第１引出口２２２ｄ１が第３周壁体２２２ｄに形成されている（図１６）。また、この第２筐体部材２２２には、組付け完了位置で第４周壁体２２１ｅの第２引出口２２１ｅ１に対向配置されており、その第２引出口２２１ｅ１と共に第１電線ＷＥ１の他方の端部ＷＥ１２側を外方に引き出すための第２引出口２２２ｅ１が第４周壁体２２２ｅに形成されている（図１２）。また、この第２筐体部材２２２には、組付け完了位置で第３周壁体２２１ｄの第３引出口２２１ｄ２に対向配置されており、その第３引出口２２１ｄ２と共に第２電線ＷＥ２の一方の端部ＷＥ２１側を外方に引き出すための第３引出口２２２ｄ２が第３周壁体２２２ｄに形成されている（図１６）。また、この第２筐体部材２２２には、組付け完了位置で第４周壁体２２１ｅの第４引出口２２１ｅ２に対向配置されており、その第４引出口２２１ｅ２と共に第２電線ＷＥ２の他方の端部ＷＥ２２側を外方に引き出すための第４引出口２２２ｅ２が第４周壁体２２２ｅに形成されている（図１２）。
【００９０】
このノイズフィルタ３は、実施形態のノイズフィルタ１と同様の挟持構造３０を備えている（図１２、図１４及び図１５）。但し、本変形例の挟持構造３０は、第１電線ＷＥ１の中間接続部ＷＥａ１に対して物理的且つ電気的に接続され、かつ、自らの弾性変形に伴う反力でノイズ低減素子１１の第１接続部１１ａに接触させる第１電線接続部材２４０と、第２電線ＷＥ２の中間接続部ＷＥａ２に対して物理的且つ電気的に接続され、かつ、自らの弾性変形に伴う反力でノイズ低減素子１１の第２接続部１１ｂに接触させる第２電線接続部材２５０と、を備えている（図１２、図１４及び図１５）。更に、本変形例の挟持構造３０は、第１電線接続部材２４０の反力が作用する方向とは逆側で第１電線接続部材２４０を係止して、第１電線接続部材２４０から作用する力を受ける筐体２２０の第１係止部２６１と、第２電線接続部材２５０の反力が作用する方向とは逆側で第２電線接続部材２５０を係止して、第２電線接続部材２５０から作用する力を受ける筐体２０の第２係止部２６２と、を備えている（図１２、図１４及び図１５）。
【００９１】
第１電線接続部材２４０は、金属等の導電性部材で成形する。この第１電線接続部材２４０は、ノイズ低減素子１１の第１接続部１１ａと第１筐体部材２２１の第１周壁体２２１ｂとの間に介在させる。この例示の第１電線接続部材２４０は、第１電線ＷＥ１の中間接続部ＷＥａ１に巻き付けながら加締められた加締め部２４１を有する（図１２、図１４及び図１５）。その加締め部２４１は、矩形の平板部を中間接続部ＷＥａ１に対して巻き付けながら加締めていくことによって、その中間接続部ＷＥａ１に対して物理的且つ電気的に接続される。更に、この例示の第１電線接続部材２４０は、その加締め部２４１から突出させた弾性変形可能な接点部２４２を有する（図１２、図１４及び図１５）。その接点部２４２は、加締め部２４１側を固定端とし、第１周壁体２２１ｂと第２周壁体２２１ｃの対向配置方向に沿う弾性変形が可能な片持ちの片体状に形成している。この例示の接点部２４２は、弧状の片体として形成し、凸側の曲面をノイズ低減素子１１の第１接続部１１ａに対向配置させる。
【００９２】
第２電線接続部材２５０は、金属等の導電性部材で成形する。この第２電線接続部材２５０は、ノイズ低減素子１１の第２接続部１１ｂと第１筐体部材２２１の第２周壁体２２１ｃとの間に介在させる。この例示の第２電線接続部材２５０は、第２電線ＷＥ２の中間接続部ＷＥａ２に巻き付けながら加締められた加締め部２５１を有する（図１２、図１４及び図１５）。その加締め部２５１は、先の加締め部２４１と同様のものであり、矩形の平板部を中間接続部ＷＥａ２に対して巻き付けながら加締めていくことによって、その中間接続部ＷＥａ２に対して物理的且つ電気的に接続される。更に、この例示の第２電線接続部材２５０は、その加締め部２５１から突出させた弾性変形可能な接点部２５２を有する（図１２、図１４及び図１５）。その接点部２５２は、加締め部２５１側を固定端とし、第１周壁体２２１ｂと第２周壁体２２１ｃの対向配置方向に沿う弾性変形が可能な片持ちの片体状に形成している。この例示の接点部２５２は、先の接点部２４２と同様のものであり、弧状の片体として形成し、凸側の曲面をノイズ低減素子１１の第２接続部１１ｂに対向配置させる。
【００９３】
第１係止部２６１は、第１筐体部材２２１に設ける（図１２）。第１筐体部材２２１の第１周壁体２２１ｂ側には、収容室２２０ａに収容された第１電線接続部材２４０の加締め部２４１が入り込む溝部が形成されている。この例示では、その溝部を第１係止部２６１として利用する。
【００９４】
第２係止部２６２は、第１筐体部材２２１に設ける（図１２）。第１筐体部材２２１の第２周壁体２２１ｃ側には、収容室２２０ａに収容された第２電線接続部材２５０の加締め部２５１が入り込む溝部が形成されている。この例示では、その溝部を第２係止部２６２として利用する。
【００９５】
このように、本変形例のノイズフィルタ３は、ノイズ低減素子１１を介在させた第１電線ＷＥ１の中間接続部ＷＥａ１と第２電線ＷＥ２の中間接続部ＷＥａ２とを挟持構造３０によって挟持させるだけの簡便な構造で、第１電線ＷＥ１の中間接続部ＷＥａ１をノイズ低減素子１１の第１接続部１１ａに対して間接的に電気接続させ、かつ、第２電線ＷＥ２の中間接続部ＷＥａ２をノイズ低減素子１１の第２接続部１１ｂに対して間接的に電気接続させることができる。つまり、このノイズフィルタ３は、そのようなノイズ低減素子１１と挟持構造３０（第１電線ＷＥ１に取り付けた第１電線接続部材２４０、第２電線ＷＥ２に取り付けた第２電線接続部材２５０、筐体２２０の第１係止部２６１及び第２係止部２６２）という少量の構成部品で、そのノイズ低減素子１１の第１接続部１１ａと第２接続部１１ｂに第１電線ＷＥ１の中間接続部ＷＥａ１と第２電線ＷＥ２の中間接続部ＷＥａ２を電気接続させることができる。従って、このノイズフィルタ３は、体格の小型化を図ることができる。
【００９６】
更に、このノイズフィルタ３においては、第１周壁体２２１ｂと第２周壁体２２１ｃとの間に沿って、ノイズ低減素子１１と第１電線ＷＥ１に取り付けた第１電線接続部材２４０と第２電線ＷＥ２に取り付けた第２電線接続部材２５０と筐体２２０の第１係止部２６１及び第２係止部２６２を並べて配置しているので、第３周壁体２２１ｄと第４周壁体２２１ｅとの間を狭めることができる。従って、このノイズフィルタ３は、その第３周壁体２２１ｄと第４周壁体２２１ｅの対向配置方向における体格の小型化を図ることができる。
【００９７】
例えば、このノイズフィルタ３においては、ノイズ低減素子１１を挿入口２２０ｂから収容室２２０ａに収容した後、その挿入口２２０ｂから第１電線ＷＥ１の中間接続部ＷＥａ１と第２電線ＷＥ２の中間接続部ＷＥａ２とを収容室２２０ａに収容する。その際、中間接続部ＷＥａ１に取り付けられている第１電線接続部材２４０については、例えば、接点部２４２をノイズ低減素子１１の第１接続部１１ａに押し付けて弾性変形させながら、加締め部２４１を第１係止部２６１に挿入していく。そして、第１電線ＷＥ１は、一方の端部ＷＥ１１側を挿入口２２０ｂ側から第１引出口２２１ｄ１に挿入し、かつ、他方の端部ＷＥ１２側を挿入口２２０ｂ側から第２引出口２２１ｅ１に挿入していく。また、中間接続部ＷＥａ２に取り付けられている第２電線接続部材２５０については、例えば、接点部２５２をノイズ低減素子１１の第２接続部１１ｂに押し付けて弾性変形させながら、加締め部２５１を第２係止部２６２に挿入していく。そして、第２電線ＷＥ２は、一方の端部ＷＥ２１側を挿入口２２０ｂ側から第３引出口２２１ｄ２に挿入し、かつ、他方の端部ＷＥ２２側を挿入口２２０ｂ側から第４引出口２２１ｅ２に挿入していく。
【００９８】
その収容室２２０ａの第１電線接続部材２４０においては、接点部２４２の弾性変形に伴う第１周壁体２２１ｂ側に向けた力の作用によって、加締め部２４１が第１係止部２６１で係止されている。そして、その第１係止部２６１においては、その接点部２４２の弾性変形に伴う加締め部２４１からの力を受けている。よって、第１電線接続部材２４０においては、接点部２４２が自らの弾性変形に伴う反力をノイズ低減素子１１の第１接続部１１ａに作用させ続けるので、この接点部２４２を第１接続部１１ａに接触させ続けることができる。これと同じように、収容室２２０ａの第２電線接続部材２５０においては、接点部２５２の弾性変形に伴う第２周壁体２２１ｃ側に向けた力の作用によって、加締め部２５１が第２係止部２６２で係止されている。そして、その第２係止部２６２においては、その接点部２５２の弾性変形に伴う加締め部２５１からの力を受けている。よって、第２電線接続部材２５０においては、接点部２５２が自らの弾性変形に伴う反力をノイズ低減素子１１の第２接続部１１ｂに作用させ続けるので、この接点部２５２を第２接続部１１ｂに接触させ続けることができる。
【００９９】
このように、収容室２２０ａにおいては、ノイズ低減素子１１を介在させた第１電線ＷＥ１の中間接続部ＷＥａ１と第２電線ＷＥ２の中間接続部ＷＥａ２とが、第１電線接続部材２４０と第２電線接続部材２５０を介して第１係止部２６１と第２係止部２６２とで挟持される。従って、このノイズフィルタ３においては、ノイズ低減素子１１と第１電線接続部材２４０が取り付けられた第１電線ＷＥ１と第２電線接続部材２５０が取り付けられた第２電線ＷＥ２の収容室１２０ａへの収容が完了したときに、第１電線ＷＥ１の中間接続部ＷＥａ１とノイズ低減素子１１の第１接続部１１ａとが電気接続され、かつ、第２電線ＷＥ２の中間接続部ＷＥａ２とノイズ低減素子１１の第２接続部１１ｂとが電気接続されて、これらの電気接続状態が保たれる。
【０１００】
このノイズフィルタ３においては、その第１筐体部材２２１に第２筐体部材２２２を組み付ける。ここでは、挿入口２２０ｂを塞ぐと共に、第１電線ＷＥ１の一方の端部ＷＥ１１側を第１引出口２２２ｄ１に挿入させ、かつ、第１電線ＷＥ１の他方の端部ＷＥ１２側を第２引出口２２２ｅ１に挿入させ、かつ、第２電線ＷＥ２の一方の端部ＷＥ２１側を第３引出口２２２ｄ２に挿入させ、かつ、第２電線ＷＥ２の他方の端部ＷＥ２２側を第４引出口２２２ｅ２に挿入させるように、第２筐体部材２２２を第１筐体部材２２１に組み付ける。
【０１０１】
このように、このノイズフィルタ３は、ノイズ低減素子１１と第１電線接続部材２４０が取り付けられた第１電線ＷＥ１と第２電線接続部材２５０が取り付けられた第２電線ＷＥ２を収容室２２０ａに収容していくだけの簡便な組付け作業で、第１電線ＷＥ１の中間接続部ＷＥａ１及びノイズ低減素子１１の第１接続部１１ａの電気接続状態と第２電線ＷＥ２の中間接続部ＷＥａ２及びノイズ低減素子１１の第２接続部１１ｂの電気接続状態を保たせることができる。従って、このノイズフィルタ２は、組付け作業性に優れたものとなっている。
【０１０２】
例えば、このノイズフィルタ３は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ３の取り付けが完了する。
【０１０３】
以上示したように、本変形例のノイズフィルタ３は、体格の小型化を図ることができる。更に、このノイズフィルタ３は、組付け作業性を向上させることができる。また、本変形例のワイヤハーネスＷＨは、そのようなノイズフィルタ３を具備するものであり、このノイズフィルタ３が得られる効果を奏することができる。
【符号の説明】
【０１０４】
１，２，３  ノイズフィルタ
１１  ノイズ低減素子
１１ａ  第１接続部
１１ｂ  第２接続部
２０，１２０，２２０  筐体
２０ａ，１２０ａ，２２０ａ  収容室
２０ｂ，１２０ｂ，２２０ｂ  挿入口（開口）
２１，１２１，２２１  第１筐体部材
２２，１２２，２２２  第２筐体部材
３０  挟持構造
４０，１４０  第１押動体
５０，１５０  第２押動体
６１  第１電線接続部材
６２  第２電線接続部材
２４０  第１電線接続部材
２５０  第２電線接続部材
２６１  第１係止部
２６２  第２係止部
ＷＥ１  第１電線
ＷＥａ１  中間接続部
ＷＥ２  第２電線
ＷＥａ２  中間接続部
ＷＥａ  芯線
ＷＨ  ワイヤハーネス
ＷＴ  幹線
【図１】
2020150350.tif 000003
【図２】
2020150350.tif 000004
【図３】
2020150350.tif 000005
【図４】
2020150350.tif 000006
【図５】
2020150350.tif 000007
【図６】
2020150350.tif 000008
【図７】
2020150350.tif 000009
【図８】
2020150350.tif 000010
【図９】
2020150350.tif 000011
【図１０】
2020150350.tif 000012
【図１１】
2020150350.tif 000013
【図１２】
2020150350.tif 000014
【図１３】
2020150350.tif 000015
【図１４】
2020150350.tif 000016
【図１５】
2020150350.tif 000017
【図１６】
2020150350.tif 000018